(57)【要約】【課題】フレキシブルなディスク状記録媒体を安定に保持、搬送することができるディスクカートリッジと、これを備えたディスク駆動装置とを提供する。【解決手段】前面に開口部１を有する箱状のカートリッジケース２と、開口部１を通してカートリッジケース２内に出入可能に収納されるトレイ状のディスク保持部材３ａ〜３ｅと、当該ディスク保持部材３ａ〜３ｅに保持されたディスク状記録媒体４ａ〜４ｅとからディスクカートリッジ１Ａを構成する。ディスク保持部材３ａ〜３ｅには磁性部材１５を備える。このディスクカートリッジ１Ａをディスク駆動装置に装着し、ディスク駆動装置内に備えられた磁石２０を所望のディスク保持部材３ａ〜３ｅの磁性部材１５と磁気結合させ、ディスク保持部材３ａ〜３ｅを非接触でカートリッジケース２から取り出す。【選択図】図１
2006079761.tif 000002
【特許請求の範囲】
【請求項１】
開口部を有する箱状のカートリッジケースと、前記開口部を通して前記カートリッジケース内に出入可能に収納される複数のトレイ状又はエンベロープ状のディスク保持部材と、前記複数のディスク保持部材のそれぞれに保持された複数のディスク状記録媒体とからなり、前記ディスク保持部材の取り出し側の端部に磁性部材を備えたことを特徴とするディスクカートリッジ。
【請求項２】
開口部を有する箱状のカートリッジケースと、前記開口部を通して前記カートリッジケース内に出入可能に収納される複数のトレイ状又はエンベロープ状のディスク保持部材と、前記複数のディスク保持部材のそれぞれに保持された複数のディスク状記録媒体とからなり、前記開口部における前記複数のディスク保持部材の収納位置に対応する部分に複数の開閉扉を備えたことを特徴とするディスクカートリッジ。
【請求項３】
前記カートリッジケースの内部が複数のディスク収納部に区画され、各ディスク収納部ごとに前記ディスク保持部材及び当該ディスク保持部材に保持されたディスク状記録媒体が収納されていることを特徴とする請求項１又は請求項２に記載のディスクカートリッジ。
【請求項４】
前記ディスク収納部ごとに前記開口部を開閉可能に覆う開閉扉が備えられていることを特徴とする請求項３に記載のディスクカートリッジ。
【請求項５】
前記開閉扉は、その開放時に、前記カートリッジケースからの前記ディスク保持部材の取り出し及び前記カートリッジケースへの前記ディスク保持部材の収納を補助するガイドレールとして機能することを特徴とする請求項４に記載のディスクカートリッジ。
【請求項６】
開口部を有する箱状のカートリッジケースと、前記開口部を通して前記カートリッジケース内に出入可能に収納される複数のトレイ状又はエンベロープ状のディスク保持部材と、前記複数のディスク保持部材のそれぞれに保持された複数のディスク状記録媒体とからなり、前記ディスク保持部材の取り出し側の端部に磁性部材が備えられたディスクカートリッジを装着し、前記カートリッジケースから所望の前記ディスク保持部材及び前記ディスク状記録媒体を選択的に取り出して前記ディスク状記録媒体に対する情報の記録再生を行うディスク駆動装置であって、前記磁性部材と磁気結合して前記カートリッジ内から前記ディスク保持部材及び前記ディスク状記録媒体を選択的に取り出す磁石を備えたことを特徴とするディスク駆動装置。
【請求項７】
開口部を有する箱状のカートリッジケースと、前記開口部を通して前記カートリッジケース内に出入可能に収納される複数のトレイ状又はエンベロープ状のディスク保持部材と、前記複数のディスク保持部材のそれぞれに保持された複数のディスク状記録媒体とからなり、前記開口部における前記複数のディスク保持部材の収納位置に対応する部分に複数の開閉扉が備えられたディスクカートリッジを装着し、前記カートリッジケースから所望の前記ディスク保持部材及び前記ディスク状記録媒体を選択的に取り出して前記ディスク状記録媒体に対する情報の記録再生を行うディスク駆動装置であって、前記複数の開閉扉を選択的に開閉する扉開閉部と、前記開口部が上向き又は下向きになるように前記ディスクカートリッジを揺動可能に支持する揺動支持部とを備えたことを特徴とするディスク駆動装置。
【発明の詳細な説明】
【技術分野】
【０００１】
本発明は、ディスクカートリッジ及びこれを備えたディスク駆動装置に係り、特に、複数枚のフレキシブルなディスク状記録媒体が収納されたディスクカートリッジからのディスク状記録媒体の搬送手段に関する。
【背景技術】
【０００２】
情報化社会の進展に伴い、情報記録装置にはテラバイトクラスの大記録容量を有することが求められるに至っている。光ディスク装置においては、かかる要請に対処するため、レーザの短波長化や対物レンズの高開口数化による光スポット径の微小化、或いは記録層の光透過率の向上による記録層の多層化などの研究が盛んに行われている。
【０００３】
これらの各記録密度の向上手段のうち、光スポット径の微小化による記録密度の向上は、現実的には限界に近づいており、これ以上の革新的な向上はほとんど見込めない状況にある。したがって、光ディスクの記録密度の向上については、情報の多層記録又はホログラム記録などの体積記録密度を高める研究が盛んになってきている。しかしながら、多層記録では、各層で光が吸収されることから数層程度が限界と見られており、また、ホログラム記録では光スポット径の微小化による記録密度の向上が見込みにくいので、いずれの場合にもテラバイトクラスの光ディスクの出現は極めて難しい状況にある。
【０００４】
このような状況を打破し、小型でテラバイトクラスの大記録容量を可能にする技術として、近年、光ディスクの基板厚を従来の光ディスクに用いられている基板の基板厚に比べて極端に薄形化し、多数枚の光ディスクを１つのディスクカートリッジ内に収納することが提案されている（例えば、特許文献１参照。）。
【０００５】
また、多数枚の光ディスクが収納されたディスクカートリッジから所望の光ディスクを取り出してディスク駆動装置に装着すると共に、ディスク駆動装置から排出された光ディスクをディスクカートリッジ内に戻すディスク搬送手段としては、ローラを用いるものが提案されている（例えば、特許文献２参照。）。
【特許文献１】特開２００３−１１５１０８号公報
【特許文献２】特開２００４−１３９６５９号公報
【発明の開示】
【発明が解決しようとする課題】
【０００６】
しかしながら、基板厚が薄形化されたフレキシブルな光ディスクをローラにて搬送すると、光ディスクとローラとの間に作用する摩擦力によって光ディスクが損傷されやすいばかりでなく、光ディスクやローラの摩耗によって発生した摩耗粉が光ディスクの記録面や光学ヘッドに付着するため、情報の記録再生エラーが生じやすいという不都合がある。また、搬送時にローラに沿って光ディスクが湾曲するため、光ディスクが破壊されやすいという不都合もある。さらには、カートリッジケース内に複数のディスク保持部材を収納する場合においては、各ディスク状記録媒体の間にローラを挿入するためのスペースを設ける必要があるので、カートリッジケース内に多数のディスク状記録媒体を収納することが難しいという不都合もある。
【０００７】
本発明は、かかる従来技術の不備を解決するためになされたものであって、その目的は、フレキシブルなディスク状記録媒体を安定に保持、搬出、搬入することができるディスクカートリッジと、これを備えたディスク駆動装置とを提供することにある。
【課題を解決するための手段】
【０００８】
本発明は、前記の課題を解決するため、ディスクカートリッジに関しては、開口部を有する箱状のカートリッジケースと、前記開口部を通して前記カートリッジケース内に出入可能に収納される複数のトレイ状又はエンベロープ状のディスク保持部材と、前記複数のディスク保持部材のそれぞれに保持された複数のディスク状記録媒体とからなり、前記ディスク保持部材の取り出し側の端部に磁性部材を備えるという構成にした。
【０００９】
このように、ディスク状記録媒体をトレイ状又はエンベロープ状に形成されたディスク保持部材にて保持すると、フレキシブルなディスク状記録媒体を湾曲させることなく取り扱うことができるので、ディスク状記録媒体の湾曲に起因する破壊を防止することができる。また、ディスク保持部材の取り出し側の端部に磁性部材を備えると、ディスク駆動装置に備えられた磁石より当該磁性部材に磁界を印加することにより、ディスク保持部材及び当該ディスク保持部材に保持されたディスク状記録媒体を非接触で取り扱うことができるので、摩耗に起因するディスク状記録媒体の損傷や摩耗粉の付着に起因する記録再生エラーの発生を防止できると共に、各ディスク保持部材の間にローラなどを挿入するためのスペースを設ける必要がないので、同一容量のカートリッジケース内により多数のディスク状記録媒体を収納することができ、トータルの記録容量を増加させることができる。
【００１０】
また、本発明は、ディスクカートリッジに関して、開口部を有する箱状のカートリッジケースと、前記開口部を通して前記カートリッジケース内に出入可能に収納される複数のトレイ状又はエンベロープ状のディスク保持部材と、前記複数のディスク保持部材のそれぞれに保持された複数のディスク状記録媒体とからなり、前記開口部における前記複数のディスク保持部材の収納位置に対応する部分に複数の開閉扉を備えるという構成にした。
【００１１】
このように、開口部における所要の位置に複数の開閉扉を備えると、１の開閉扉のみを選択的に開いた状態で開口部が下向きになるようにディスクカートリッジを傾斜させることにより、カートリッジケースからディスク保持部材及びディスク状記録媒体を非接触で取り出すことができる。また、開口部が上向きになるようにディスクカートリッジを傾斜させることにより、カートリッジケース内にディスク保持部材及びディスク状記録媒体を非接触で収納することができる。よって、摩耗に起因するディスク状記録媒体の損傷や摩耗粉の付着に起因する記録再生エラーの発生を防止することができ、かつ、同一容量のカートリッジケース内により多数のディスク状記録媒体を収納することができてトータルの記録容量を増加させることができる。
【００１２】
また、本発明は、前記各構成のディスクカートリッジにおいて、前記カートリッジケースの内部が複数のディスク収納部に区画され、各ディスク収納部ごとに前記ディスク保持部材及び当該ディスク保持部材に保持されたディスク状記録媒体が収納されているという構成にした。
【００１３】
このように、カートリッジケースの内部を複数のディスク収納部に区画し、各ディスク収納部ごとにディスク保持部材及び当該ディスク保持部材に保持されたディスク状記録媒体を収納すると、隣接して配置されたディスク保持部材及びディスク状記録媒体の接触を防止することができるので、ディスク状記録媒体の破壊や損傷を防止することができ、かつカートリッジケースからのディスク保持部材及びディスク状記録媒体の取り出しとカートリッジケースへのディスク保持部材及びディスク状記録媒体の収納を容易に行うことができる。
【００１４】
また、本発明は、前記各構成のディスクカートリッジにおいて、前記ディスク収納部ごとに前記開口部を開閉可能に覆う開閉扉が備えられているという構成にした。
【００１５】
このように、各ディスク収納部ごとに開口部を開閉可能な開閉扉を備えると、カートリッジケースからの所望のディスク状記録媒体の取り出し時に、所望のディスク状記録媒体が収納されたディスク収納部の開閉扉のみを開放することにより、不所望のディスク状記録媒体の取り出しを確実に防止することができるので、カートリッジケースからの所望のディスク状記録媒体の取り出しを容易かつ確実に行うことができる。
【００１６】
また、本発明は、前記各構成のディスクカートリッジにおいて、前記開閉扉は、その開放時に、前記カートリッジケースからの前記ディスク保持部材の取り出し及び前記カートリッジケースへの前記ディスク保持部材の収納を補助するガイドレールとして機能するという構成にした。
【００１７】
このように、開閉扉をその開放時にディスク保持部材のガイドレールとして機能するように構成すると、カートリッジケースからのディスク保持部材の取り出し及びカートリッジケースへのディスク保持部材の収納を容易化することができる。
【００１８】
一方、本発明は、ディスク駆動装置に関して、開口部を有する箱状のカートリッジケースと、前記開口部を通して前記カートリッジケース内に出入可能に収納される複数のトレイ状又はエンベロープ状のディスク保持部材と、前記複数のディスク保持部材のそれぞれに保持された複数のディスク状記録媒体とからなり、前記ディスク保持部材の取り出し側の端部に磁性部材が備えられたディスクカートリッジを装着し、前記カートリッジケースから所望の前記ディスク保持部材及び前記ディスク状記録媒体を選択的に取り出して前記ディスク状記録媒体に対する情報の記録再生を行うディスク駆動装置であって、前記磁性部材と磁気結合して前記カートリッジ内から前記ディスク保持部材及び前記ディスク状記録媒体を選択的に取り出す磁石を備えるという構成にした。
【００１９】
このように、ディスク保持部材に備えられた磁性部材と磁気結合してカートリッジ内からディスク保持部材及びディスク状記録媒体を選択的に取り出す磁石をディスク駆動装置に備えると、当該磁石と所望のディスク状記録媒体が保持されたディスク保持部材の磁性部材とを磁気結合することにより、ディスク保持部材及び当該ディスク保持部材に保持されたディスク状記録媒体を非接触で取り扱うことができるので、摩耗に起因するディスク状記録媒体の損傷や摩耗粉の付着に起因する記録再生エラーの発生を防止できる。
【００２０】
また、本発明は、ディスク駆動装置に関して、開口部を有する箱状のカートリッジケースと、前記開口部を通して前記カートリッジケース内に出入可能に収納される複数のトレイ状又はエンベロープ状のディスク保持部材と、前記複数のディスク保持部材のそれぞれに保持された複数のディスク状記録媒体とからなり、前記開口部における前記複数のディスク保持部材の収納位置に対応する部分に複数の開閉扉が備えられたディスクカートリッジを装着し、前記カートリッジケースから所望の前記ディスク保持部材及び前記ディスク状記録媒体を選択的に取り出して前記ディスク状記録媒体に対する情報の記録再生を行うディスク駆動装置であって、前記複数の開閉扉を選択的に開閉する扉開閉部と、前記開口部が上向き又は下向きになるように前記ディスクカートリッジを揺動可能に支持する揺動支持部とを備えるという構成にした。
【００２１】
このように、ディスク駆動装置にディスクカートリッジに備えられた開閉扉の開閉部とディスクカートリッジの揺動支持部とを備えると、１の開閉扉のみを選択的に開いた状態で開口部が下向きになるようにディスクカートリッジを傾斜させることにより、カートリッジケースからディスク保持部材及びディスク状記録媒体を非接触で取り出すことができ、また、開口部が上向きになるようにディスクカートリッジを傾斜させることにより、カートリッジケース内にディスク保持部材及びディスク状記録媒体を非接触で収納することができる。よって、摩耗に起因するディスク状記録媒体の損傷や摩耗粉の付着に起因する記録再生エラーの発生を防止することができ、かつ、同一容量のカートリッジケース内により多数のディスク状記録媒体を収納することができてトータルの記録容量を増加させることができる。
【発明の効果】
【００２２】
本発明のディスクカートリッジは、ディスク状記録媒体をトレイ状又はエンベロープ状に形成されたディスク保持部材にて保持するので、フレキシブルなディスク状記録媒体を湾曲させることなく取り扱うことができ、ディスク状記録媒体の湾曲に起因する破壊を防止することができる。また、本発明のディスクカートリッジは、カートリッジケースからの取り出し時及びカートリッジケースへの収納時にディスク保持部材及びディスク状記録媒体を非接触で取り扱うことができるので、摩耗に起因するディスク状記録媒体の損傷や摩耗粉の付着に起因する記録再生エラーの発生を防止することができる。さらに、本発明のディスクカートリッジは、ディスク状記録媒体を非接触で取り扱うことから、各ディスク保持部材の間にローラなどのディスク把持部材を挿入するためのスペースを設ける必要がなく、同一容量のカートリッジケース内により多数のディスク状記録媒体を収納することができて、トータルの記録容量を増加させることができる。
【００２３】
本発明のディスク駆動装置は、カートリッジケースからの取り出し時及びカートリッジケースへの収納時にディスク保持部材及びディスク状記録媒体を非接触で取り扱うことができるので、摩耗に起因するディスク状記録媒体の損傷や摩耗粉の付着に起因する記録再生エラーの発生を防止することができる。
【発明を実施するための最良の形態】
【００２４】
以下、本発明に係るディスクカートリッジの実施形態を図１乃至図５に基づいて説明する。図１は第１実施形態例に係るディスクカートリッジの分解斜視図、図２は第１実施形態例に係るディスクカートリッジの縦断面図、図３は第１実施形態例に係るディスクカートリッジの開閉扉開放時の正面図、図４は第２実施形態例に係るディスクカートリッジの分解斜視図、図５は第３実施形態例に係るディスクカートリッジの分解斜視図である。
【００２５】
図１乃至図３に示すように、第１実施形態例に係るディスクカートリッジ１Ａは、前面に開口部１を有する箱状のカートリッジケース２と、開口部１を通してカートリッジケース２内に出入可能に収納されるトレイ状のディスク保持部材３ａ〜３ｅと、当該ディスク保持部材３ａ〜３ｅに保持されたディスク状記録媒体４ａ〜４ｅとから構成されている。
【００２６】
カートリッジケース２は、図２に示すように、プラスチックをもって前面に開口部１を有する箱状に形成されており、その内部は、複数のディスク収納部１１ａ〜１１ｅに区画され、各ディスク収納部１１ａ〜１１ｅごとにディスク保持部材３ａ〜３ｅと当該ディスク保持部材３ａ〜３ｅに保持されたディスク状記録媒体４ａ〜４ｅとが収納されている。また、各ディスク収納部１１ａ〜１１ｅの前面には、それぞれスイングドア状の開閉扉１２ａ〜１２ｅが設けられている。開閉扉１２ａ〜１２ｅは、図３に示すように、断面形状がＬ字状に形成されており、閉鎖時には図示しないフックなどによってカートリッジケース２の本体部にロックされて各ディスク収納部１１ａ〜１１ｅの開口部１を閉鎖しており、開放時にはカートリッジケース２の前面側に平行に延びて、ディスク保持部材３ａ〜３ｅのガイド部材として機能する。
【００２７】
ディスク保持部材３ａ〜３ｅは、プラスチックをもってディスク収納部１１ａ〜１１ｅ内に収納可能なトレイ状に形成されており、図１に示すように、上面部にはディスク状記録媒体４ａ〜４ｅを収納するための円形のくぼみ１３が形成されると共に、その中心部にはターンテーブル２２を挿通するための透孔１４が開設されている。また、取り出し側の端部には、当該ディスク保持部材３ａ〜３ｅの取扱いを非接触で行うための磁性部材１５が設けられている。
【００２８】
ディスク状記録媒体４ａ〜４ｅとしては、光ディスクや磁気ディスクであって、フレキシブルな基板を備えたものが用いられる。なお、本例のディスク状記録媒体４ａ〜４ｅには、中心部に高剛性のハブ１６が備えられている。
【００２９】
図４に示すように、第２実施形態例に係るディスクカートリッジ１Ｂは、ディスク保持部材３ａ〜３ｅとしてエンベロープ状に形成されたものを用いたことを特徴とする。その他の構成については、第１実施形態例に係るディスクカートリッジ１Ａと同じであるので、対応する部分に同一の符号を付して説明を省略する。
【００３０】
図５に示すように、第３実施形態例に係るディスクカートリッジ１Ｃは、ディスク保持部材３ａ〜３ｅへの磁性部材１５の付設を省略したことを特徴とする。その他の構成については、第１実施形態例に係るディスクカートリッジ１Ａと同じであるので、対応する部分に同一の符号を付して説明を省略する。なお、図５においてはディスク保持部材３ａ〜３ｅがトレイ状に形成されているが、エンベロープ状に形成することもできる。
【００３１】
次に、本発明に係るディスク駆動装置の第１実施形態を図６及び図７に基づいて説明する。図６は第１実施形態例に係るディスク駆動装置の構成図、図７はターンテーブルに対するディスク状記録媒体の取付状態を示す要部断面図である。
【００３２】
図６に示すように、第１実施形態例に係るディスク駆動装置は、第１実施形態例に係るディスクカートリッジ１Ａ又は第２実施形態例に係るディスクカートリッジ１Ｂを装着して情報の記録再生を行うものであり、カートリッジケース２の開口部に備えられた開閉扉１２ａ〜１２ｅを個別に開閉可能な扉開閉部２０と、ディスク保持部材３ａ〜３ｅに設けられた磁性部材１５と磁気結合する磁石２１と、ターンテーブル２２と、ヘッド装置２３とが備えられている。磁石２１としては永久磁石を用いることもできるし、電磁石を用いることもできる。この磁石２１は、図示しない磁石搬送装置に取り付けられており、ディスクカートリッジ１Ａ（１Ｂ）に接近する方向及びターンテーブル２２に接近する方向に往復移動する。
【００３３】
カートリッジケース２からの所望のディスク状記録媒体４ａ〜４ｅの取り出しに際しては、まずディスク駆動装置に備えられた扉開閉部２０にて所望のディスク状記録媒体（図６の例では、ディスク状記録媒体４ｄ）が収納されたディスク収納部１１ｄの開閉扉１２ｄを開放し、当該開閉扉１２ｄをカートリッジケース２の前面側に平行に配列する（図３参照）。次に、ディスク駆動装置に備えられた磁石２１をディスク保持部材３ｄに設けられた磁性部材１５に接近して磁石２１にディスク保持部材３ｄを吸着させる。次に、磁石２１をディスク駆動装置に備えられたターンテーブル２２側に移動し、磁石２１と磁性部材１５との間に作用する磁力を利用してディスク収納部１１ｄからディスク保持部材３ｄ及びディスク状記録媒体４ｄを引き出し、開閉扉１２ｄ上に移動させる。しかる後に、図７に示すように、ディスク状記録媒体４ｄをターンテーブル２２に装着し、ディスク状記録媒体４ｄをディスク保持部材３ｄから離隔させた状態でターンテーブル２２を回転駆動してヘッド装置２３により情報の記録再生を行う。カートリッジケース２内へのディスク状記録媒体４ａ〜４ｅの収納は、これと逆の手順を経て行われる。
【００３４】
このように、本例のディスクカートリッジ及びディスク駆動装置は、ディスク状記録媒体４ａ〜４ｅをトレイ状又はエンベロープ状のディスク保持部材３ａ〜３ｅにて保持したので、フレキシブルなディスク状記録媒体４ａ〜４ｅを湾曲させることなく取り扱うことができ、ディスク状記録媒体４ａ〜４ｅの湾曲に起因する破壊を防止することができる。また、ディスク保持部材３ａ〜３ｅの取り出し側の端部に磁性部材１５を備えたので、ディスク駆動装置に備えられた磁石２１を吸着させることによってディスク状記録媒体４ａ〜４ｅを非接触で取り扱うことができ、摩耗に起因するディスク状記録媒体の損傷や摩耗粉の付着に起因する記録再生エラーの発生を防止することができる。また、ディスク保持部材３ａ〜３ｅの取り出し側の端部に磁性部材１５を備えたことから、各ディスク保持部材３ａ〜３ｅの間に例えばローラなどを挿入するためのスペースを設ける必要がないので、同一容量のカートリッジケース２内により多数のディスク状記録媒体４ａ〜４ｅを収納することができ、テラバイトクラスのディスクカートリッジも実現することができる。
【００３５】
また、本例のディスクカートリッジ及びディスク駆動装置は、各ディスク収納部１１ａ〜１１ｅごとに開口部１を開閉可能な開閉扉１２ａ〜１２ｅを備えたので、カートリッジケース２からの所望のディスク状記録媒体の取り出し時に、所望のディスク状記録媒体が収納されたディスク収納部の開閉扉のみを開放することにより不所望のディスク状記録媒体の取り出しを確実に防止することができ、開閉扉１２ａ〜１２ｅを備えない場合に比べてカートリッジケース２からの所望のディスク状記録媒体の取り出しをより容易かつ確実に行うことができる。
【００３６】
さらに、本例のディスクカートリッジ及びディスク駆動装置は、開閉扉１２ａ〜１２ｅをその開放時にディスク保持部材３ａ〜３ｅのガイドレールとして機能するように構成したので、カートリッジケース２からのディスク保持部材３ａ〜３ｅの取り出し及びカートリッジケース２へのディスク保持部材３ａ〜３ｅの収納を容易化することができる。
【００３７】
次に、本発明に係るディスク駆動装置の第２実施形態を図８及び図９に基づいて説明する。図８は第２実施形態例に係るディスク駆動装置のディスク保持部材取り出し時の断面図、図９は第２実施形態例に係るディスク駆動装置のディスク保持部材収納時の断面図である。
【００３８】
これらの図に示すように、第２実施形態例に係るディスク駆動装置は、第３実施形態例に係るディスクカートリッジ１Ｃを装着して情報の記録再生を行うものであり、カートリッジケース２の開口部に備えられた開閉扉１２ａ〜１２ｅを個別に開閉可能な扉開閉部２０と、カートリッジケース２を揺動可能に支持する揺動支持部３０と、当該揺動支持部３０の駆動部３１と、ターンテーブル２２と、ヘッド装置２３とが備えられている。駆動部３１としては、ソレノイドなどを用いることができる。
【００３９】
カートリッジケース２からの所望のディスク状記録媒体４ａ〜４ｅの取り出しに際しては、まずディスク駆動装置に備えられた扉開閉部２０にて所望のディスク状記録媒体（図８の例では、ディスク状記録媒体４ｄ）が収納されたディスク収納部１１ｄの開閉扉１２ｄを開放し、当該開閉扉１２ｄをカートリッジケース２の前面側に平行に配列する（図３参照）。次に、駆動部３１を駆動して揺動支持部３０に取り付けられたディスクカートリッジ１Ｃを開口部１が下向きになるように傾斜し、重力の作用によってディスク収納部１１ｄからディスク保持部材３ｄ及びディスク状記録媒体４ｄを引き出し、開閉扉１２ｄ上に移動させる。しかる後に、ディスク状記録媒体４ｄをターンテーブル２１に装着し、ディスク状記録媒体４ｄをディスク保持部材３ｄから離隔させた状態でスピンドル２２を回転駆動してヘッド装置２３にて情報の記録再生を行う（図７参照）。一方、カートリッジケース２内へのディスク状記録媒体４ａ〜４ｅの収納に際しては、駆動部３１を駆動して揺動支持部３０に取り付けられたディスクカートリッジ１Ｃを開口部１が上向きになるように傾斜し、重力の作用によって開閉扉１２ｄ上に載置されたディスク保持部材３ｄ及びディスク状記録媒体４ｄをディスク収納部１１ｄ内に移動させる。
【００４０】
本例のディスクカートリッジ及びディスク駆動装置も、第１実施形態例に係るディスクカートリッジ及びディスク駆動装置と同様の効果がある。
【図面の簡単な説明】
【００４１】
【図１】第１実施形態例に係るディスクカートリッジの分解斜視図である。
【図２】第１実施形態例に係るディスクカートリッジの縦断面図である。
【図３】第１実施形態例に係るディスクカートリッジの開閉扉開放時の正面図である。
【図４】第２実施形態例に係るディスクカートリッジの分解斜視図である。
【図５】第３実施形態例に係るディスクカートリッジの分解斜視図である。
【図６】第１実施形態例に係るディスク駆動装置の構成図である。
【図７】ターンテーブルに対するディスク状記録媒体の取付状態を示す要部断面図である。
【図８】第２実施形態例に係るディスク駆動装置のディスク保持部材取り出し時の断面図である。
【図９】第２実施形態例に係るディスク駆動装置のディスク保持部材収納時の断面図である。
【符号の説明】
【００４２】
１Ａ，１Ｂ，１Ｃ    ディスクカートリッジ
１    開口部
２    カートリッジケース
３ａ〜３ｅ    ディスク保持部材
４ａ〜４ｅ    ディスク状記録媒体
１１ａ〜１１ｅ    ディスク収納部
１２ａ〜１２ｅ    開閉扉
１５    磁性部材
２０    扉開閉部
２１    磁石
２２    ターンテーブル
２３    ヘッド装置
３０    揺動支持部
３１    駆動部
【図１】
2006079761.tif 000003
【図２】
2006079761.tif 000004
【図３】
2006079761.tif 000005
【図４】
2006079761.tif 000006
【図５】
2006079761.tif 000007
【図６】
2006079761.tif 000008
【図７】
2006079761.tif 000009
【図８】
2006079761.tif 000010
【図９】
2006079761.tif 000011